(57)【特許請求の範囲】
【請求項１】
軟質の積層フィルムを袋状に三方シールまたは四方シールしてなる小袋内に被包装物を充填包装してなる包装体であって、
上部横シール部の一部と、縦シール部との間に、非シール部からなる被包装物の注出通路を有し、前記縦シール部上には、側縁から前記注出通路に向かって凸凹状に迂曲させて形成された引裂き開封疵を有する一方、上部横シール部上には、前記凸凹状の引裂き開封疵から、注出通路を横切って形成される引裂きの、進展阻止部を有し、
前記上部横シール部は、前記進展阻止部まで引裂かれた状態で、小袋の他の側部に掛合される前記引裂き開封疵の凸凹状迂曲部分を有することを特徴とする液状物充填包装体。
【請求項２】
前記進展阻止部は、上部横シール部に設けたＨ字形の切込みの終端または樹脂溜まりからなることを特徴とする請求項１に記載の液状物充填包装体。
【発明の詳細な説明】
【技術分野】
【０００１】
この発明は、液状物充填包装体に関し、とくに、シャンプーやリンス、クリーム、洗剤などの液体化粧料、醤油やソース、ドレッシング、ケチャップなどの液状の調味料などを封入するための包装体であり、切断片等の発生なしに包装体を簡単かつ容易に開封することができると共に、被包装物を注出する際に、開封時の引裂き片が注出の支障になるおそれのない液状物充填包装体を提案するものである。
【背景技術】
【０００２】
プラスチックフィルムからなるフレキシブルな包装袋に、被包装物を充填包装してなる包装体から被包装物を取出すに当たっては、例えば、特許文献１に開示されているように被包装物の充填スペースを区画する接合部分（縦シール部分）にマイナスノッチ、Ｖノッチ、その他の引裂き誘導疵を設け、該引裂き誘導疵から、手指によって挟持した包装袋のその接合部分を、少なくとも被包装物の充填スペースに達するまで引裂くこと、または包装袋の隅部をハサミ等によって切断除去することが従来から広く一般に行われている。
【先行技術文献】
【特許文献】
【０００３】
【特許文献１】特開平７−１３２９４４号公報
【発明の概要】
【発明が解決しようとする課題】
【０００４】
しかしながら、このような従来の包装体では、例えば、開封のために引裂き誘導疵に沿って被包装物の充填スペースに達するまで包装体を引裂いた場合、被包装物を注出する際に、その引裂き片によって注出が妨げられてしまい、被包装物の注出が阻害されて液だれが発生したり、注出方向が不安定になるおそれがあった。
【０００５】
この一方で、引裂き誘導疵に沿って完全に切り離したり、ハサミ等で切断すると、その切取った切断片が、食品等に混入したり、台所や洗面所のシンク内排水路に流れ込んで、排水管の詰りの原因になるという問題があった。
【０００６】
この発明は、従来技術が抱えるこのような問題点を解決することを課題とするものであり、それの目的とするところは、包装体の開封を切断具を使用することなく簡易に行うと共に、切断片の発生がなく、しかも、引裂き片によって被包装物の注出が阻害されることもなく、切断片による排水管の詰まり等のおそれのない液状物充填包装体を提案することにある。
【課題を解決するための手段】
【０００７】
この発明の液状物充填包装体は、軟質の積層フィルムを袋状に三方シールまたは四方シールしてなる小袋内に被包装物を充填包装してなる包装体であって、上部横シール部の一部と、縦シール部との間に、非シール部からなる被包装物の注出通路を有し、前記縦シール部上には、側縁から前記注出通路に向かって凸凹状に迂曲させて形成された引裂き開封疵を有する一方、上部横シール部上には、前記凸凹状の引裂き開封疵から、注出通路を横切って形成される引裂きの、進展阻止部を有し、前記上部横シール部は、前記進展阻止部まで引裂かれた状態で、小袋の他の側部に掛合される前記引裂き開封疵の凸凹状迂曲部分を有することを特徴とする液状物充填包装体である。
【０００８】
なお、上記本発明の液状物充填包装体においては、前記進展阻止部は、上部横シール部に設けたＨ字形の切込みの終端または樹脂溜まりからなることがより好ましい。
【発明の効果】
【０００９】
上述したように構成される液状物充填包装体によれば、包装体の縦シール部に凸凹状に迂曲する引裂き開封疵を設けたことで、該包装体を、ハサミ等の道具を使用することなく手指で簡単に開封することができると共に、引裂きの前方位置に、引裂きの進展阻止部を設けたことで、包装体の開封のために引裂きを進行させても、その引裂きの進行は、前記進展阻止部で食い止められることになり、フィルム片が切り離されることがないので、切断片が食品等に混入したり、排水管に詰まりを招くようなこともなくなる。
【００１０】
また、本発明では、包装体の縦シール部に設けた引裂き開封疵を凸凹状の迂曲形態で形成したので、所要の位置に形成した、引裂きの進展阻止部まで、該縦シール部を引裂き等した後に、引裂き片を、前記凸凹状迂曲部分が直線状に形成されていると、曲線状に形成されているとの別なく、該迂曲部分をもって包装体の、他の側部（切り離されていない側の側部）に簡易に、かつ確実に掛合させることができる。
【００１１】
このため、被包装物の注出が、包装体の引裂き片によって妨げられることがなく、被包装物の安定した注出を行うことができる。
【図面の簡単な説明】
【００１２】
【図１】この発明の液状物充填包装体の実施形態を示す正面図である。
【図２】この発明の液状物充填包装体を引裂き開封疵から、進展阻止部まで引裂き開封した状態を例示する斜視図である。
【図３】図２の液状物充填包装体の上部に形成した引裂き片を、凸凹状の直線状迂曲部分をもって、該包装体の他の側部に掛合させた状態を例示する拡大斜視図である。
【図４】この発明の液状物充填包装体の使用状態を示す図である。
【発明を実施するための形態】
【００１３】
以下に、この発明の好適な実施形態を図面に示すところに基づいて説明する。
図１に示す液状物充填包装体１は、二層以上の積層構造になる包装用積層フィルムを幅方向の中央位置において二つに畳んだ後、重なり合う側部および上部のそれぞれを相互に融着接合させて形成してなる三方シール袋からなる。なお、本発明の液状物充填包装体１は、三方シール袋のみならず、四方シール袋とすることもできる。
【００１４】
この液状物充填包装体１では、上部横シール部２の一部と、縦シール部３との間に、非シール部分からなる注出通路４を区画すると共に、該縦シール部３には、側縁から注出通路４に向かって凸凹状に迂曲させて形成してなる引裂き誘導疵５が、直線状に折曲した形態で設けられている。なお、この引裂き誘導疵５の延在終端と注出通路４の側縁との間には、0.3〜5.0mmのクリアランスを設けることが好ましく、このクリアランスが0.3mm未満の場合には、製造時や取り扱い中に不測の破袋が生じるおそれがあり、一方、5.0mm超の場合には、引裂き誘導疵５が存在してなお、液状物充填包装体１を手指で引裂き開封できないおそれや、所期した方向に向けて引裂きを進行させ得ないおそれがある。
【００１５】
ところで、図に示すところでは、引裂き誘導疵５を曲線状の延在形態を有するものとすることもでき、また、図示例では、連続したスリットからなる引裂き誘導疵５を、間欠的なミシン目状の孔からなるものとすることもできる。
【００１６】
この液状物充填包装体１では、上部横シール部２の、前記凸凹状の引裂き開封疵５から、注出通路４を横切って形成される引裂きの進展阻止部６を設けておく。これによれば、図２に示すように、引裂き開封疵５からの引裂きが、注出通路４を開口した後、進展阻止部６において食い止められることになり、それ以上の引裂きの進行が阻止されることになる。
【００１７】
したがって、本発明の液状物充填包装体１によれば、開封のために上部横シール部２内へ引裂きを進行させたとしても、所期した位置に設けた進展阻止部６によって引裂きが停止されることになり、上部横シール部２の、引裂き片２ａを、常に包装体に繋がった状態にすることができるので、フィルム切断片が食品等に混入したり、排水管の詰りを招くこともなくなる。
【００１８】
なお、進展阻止部６は、図１に示すように、上部横シール部２に設けたＨ字形の切り込みの終端の他、樹脂溜まりによって形成することもできる。
【００１９】
ここで、進展阻止部６をＨ字形の切り込みの終端とした場合には、引裂きは、Ｈ字形の一の縦方向の切り込み６ａの手前側部分にて、引裂き力が一旦吸収された後に、他の縦方向の切り込み６ｃへと向うことになるので、引裂きの進行を、該進展阻止部６において確実に停止させることができる。
【００２０】
また、樹脂溜まりは、上部横シール部２に溝加工を施した冷却横シール板を押圧することで、所要の位置に形成することができ、他の横シール部分よりも僅かに隆起していれば、引裂き進展を確実に停止させることができる。
【００２１】
凸凹状に迂曲させて形成される引裂き開封疵５は、縦シール部３の側縁から注出通路４に向かって凸形とした後、凹形とし、例えば、進展阻止部６がＨ字形の切込みからなる場合には、図１に示すように、引裂き開封疵５の終端辺（凹形の横方向切込み部分）５ａと、進展阻止部６の横方向切込み６ｂとが、水平に整列するように形成することが好ましく、これによれば、注出通路４に形成される注出口を水平にすることができると共に、引裂きの進行方向が進展阻止部６から外れることがなく、確実に引裂きを停止させることができる。
【００２２】
上部横シール部２を、引裂き開封疵５から注出通路４を横切るように進展阻止部６まで引き裂いた後は、引裂き片２ａを、図３に示すように液体包装用小袋１の他の側部に向って折返した後、該引裂き片２ａを、その端部の凹部分７をもって液状物充填包装体１の側部へ掛合させる。
【００２３】
これによれば、図４に、液状物充填包装体１からの被包装物の注出態様を示すように、該注出に際し、引裂き片２ａが注出の妨げになることがなく、それに伴う液だれの発生や、意図しない方向への被包装物の注出を防止することができる。
【００２４】
なお、引裂き開封疵５は、上記したように引裂き開封した後、引裂き片２ａ遊端部の凹部分７をもって液状物充填包装体１の側部に掛合させるため、凹部分７の切込み深さが２〜１０mm程度となるようにすることが好ましく、これによれば、引裂き片２ａを確実に液体包装用小袋１の側部に掛合させることができる。
【００２５】
以上、この発明を図示の実施形態に基づいて説明したが、凸凹状の迂曲形態になる引裂き開封疵は、直線状に折曲させることは必須ではなく、曲線状に迂曲した凸凹状とすることもでき、また、引裂き開封疵は、小孔をミシン目状に間欠的に延在形成させたものとすることもできる。そしてこのことは、Ｈ字形の切り込みについても同様である。
【産業上の利用可能性】
【００２６】
本発明は、液体あるいは粘稠物等の液状物、固形物含有液体を充填した小袋を対象としているが、大容量の袋や、金属箔等を積層してなるパウチ袋などに適用してもよい。
【符号の説明】
【００２７】
１  液状物充填包装体
２  上部横シール部
２ａ  引裂き片
３  縦シール部
４  注出通路
５  引裂き開封疵
５ａ  引裂き誘導疵終端辺
６  進展阻止部
６ａ、６ｃ  縦方向切り込み
６ｂ  横方向切り込み
７  凹部分
【図１】
0005917250.tif 000002
【図２】
0005917250.tif 000003
【図３】
0005917250.tif 000004
【図４】
0005917250.tif 000005